(57)【特許請求の範囲】
【請求項１】
一対の操作部を対向するように箱型家具両側板の各内側に配設すると共に操作用棒状体の両端部を各操作部に嵌合し各操作部を同時に回動操作することで、各操作部に接続されたリンク機構により天井面が押圧され箱型家具が固定されるようにした可動式箱型家具であって、一対の受具を箱型家具両側板の各内面に対向して配設すると共に、操作用棒状体両端部を各受具に着脱自在に係架して洋服掛けとしたことを特徴とする可動式箱型家具。
【請求項２】
操作用棒状体を軸方向で伸縮自在にすると共に、操作用棒状体端部を受具に対し嵌合した状態で係架するようにしたことを特徴とする請求項１記載の可動式箱型家具。
【請求項３】
操作用棒状体を複数の筒体を重合接続して形成することで軸方向に伸縮自在なものとすると共に、受具受面で上方に突出する嵌合片と、操作用棒状体端部で嵌合片に嵌合する嵌合穴とを設けることで操作用棒状体端部を受具に対し嵌合した状態で係架するようにしたことを特徴とする請求項２記載の可動式箱型家具。
【発明の詳細な説明】
【０００１】
【発明の属する技術分野】
本発明は、一対の操作部を対向するように箱型家具両側板の各内側に配設すると共に操作用棒状体の両端部を各操作部に嵌合し各操作部を同時に回動操作することで、各操作部に接続されたリンク機構により天井面が押圧され箱型家具が固定されるようにした可動式箱型家具に関するものである。
【０００２】
【従来の技術】
従来から、図１２に示すように、可動式箱型家具は箱型家具（２）両側板（３）に配設した一対の操作部（１）によってリンク機構を操作し、リンク機構により天井面が押圧されることで箱型家具（２）を固定するようにしていた。又、このものは操作部（１）でリンク機構を操作しリンク機構による天井面の押圧を解除する。その際に、両側板（３）に配した各操作部（１）は、操作用棒状体（４）で同時に操作される。
【０００３】
これにより、箱型家具（２）の固定状態と可動状態とを操作部（１）で切替え操作することができる。又、操作用棒状体（４）で同時操作を行うので操作が簡単になる。
【０００４】
【発明が解決しようとする課題】
しかしながら、上記従来の技術においては、操作用棒状体（４）の普段の置き場所に困ることが多々あった。操作用棒状体（４）は各操作部（１）に両端部を嵌合させるので、箱型家具（２）の幅内寸程度の長さは少なくとも必要とされる。このような長さのものを紛失することなく保管するには、何かしらの工夫が必要とされた。即ち、箱型家具（２）とは別の場所に保管しようとすると次第にその保管場所が忘れられてしまい、結局置き場所不明となり紛失してしまう。又、箱型家具（２）の内部、例えば裏板（９）内側に係止して保管しようとすると、その分箱型家具（２）の収納スペースが占有されてしまい、収納効率が悪くなるという問題を抱えていた。
【０００５】
本発明は、上記事由に鑑みてなしたもので、その目的とするところは、操作用棒状体を紛失することなく、又、箱型家具の内部で収納スペースを占有してしまうこともなく、効率よく操作用棒状体を保管することのできる可動式箱型家具を提供することにある。
【０００６】
【課題を解決するための手段】
上記目的を達成するために、本発明の可動式箱型家具にあっては、請求項１に記載したように、一対の操作部を対向するように箱型家具両側板の各内側に配設すると共に操作用棒状体の両端部を各操作部に嵌合し各操作部を同時に回動操作することで、各操作部に接続されたリンク機構により天井面が押圧され箱型家具が固定されるようにした可動式箱型家具であって、一対の受具を箱型家具両側板の各内面に対向して配設すると共に、操作用棒状体両端部を各受具に着脱自在に係架して洋服掛けとしている。
【０００７】
これにより、操作用棒状体を紛失することなく、又、箱型家具の内部で収納スペースを占有してしまうこともなく、効率よく操作用棒状体を保管することができる。操作用棒状体を洋服掛けとして利用しているので、余計に箱型家具内の収納スペースを占有してしまうことがない。又、操作用棒状体は着脱自在なので、必要な時には受具から取り外して使うことができる。その際、操作用棒状体に掛けていた洋服は必然的に取り外すことになるので、箱型家具の総重量が軽くなり、小さな力で箱型家具を移動させることができる。
【０００８】
又、本発明の可動式箱型家具にあっては、請求項２に記載したように、操作用棒状体を軸方向で伸縮自在にすると共に、操作用棒状体端部を受具に対し嵌合した状態で係架するようにしても良い。
【０００９】
この場合、操作用棒状体が伸縮自在なので、操作用棒状体両端部と各操作部との嵌合が容易なものとなる。操作用棒状体を、箱型家具の幅内寸に対し少し縮めた状態で嵌め込んでゆくことができるので、嵌合が容易となる。又、操作用棒状体と受具との嵌合も同様に簡単にすることができる。更に、嵌合接合としたことで受具から操作用棒状体が不用意に落下してしまうのを防ぐことができる。
【００１０】
又、本発明の可動式箱型家具にあっては、請求項３に記載したように、操作用棒状体を複数の筒体を重合接続して形成することで軸方向に伸縮自在なものとすると共に、受具受面で上方に突出する嵌合片と、操作用棒状体端部で嵌合片に嵌合する嵌合穴とを設けることで操作用棒状体端部を受具に対し嵌合した状態で係架するようにしても良い。
【００１１】
この場合、操作用棒状体の構造を簡単にすることができる。リンク機構などで伸縮自在とするよりも簡単である。又、嵌合片が受具受面上方に突出しているので、操作用棒状体を受具上側より嵌合させることができ、受具に対して操作用棒状体を簡単に嵌合させることができる。
【００１２】
【発明の実施の形態】
図１乃至図１１は、本発明の請求項１乃至３に対応する一実施の形態の可動式箱型家具を示す説明図である。
【００１３】
この実施の形態の可動式箱型家具は、請求項１に記載したように、一対の操作部（１）を対向するように箱型家具（２）両側板（３）の各内側に配設すると共に操作用棒状体（４）の両端部を各操作部（１）に嵌合し各操作部（１）を同時に回動操作することで、各操作部（１）に接続されたリンク機構（５）により天井面が押圧され箱型家具（２）が固定されるようにした可動式箱型家具であって、一対の受具（６）を箱型家具（２）両側板（３）の各内面に対向して配設すると共に、操作用棒状体（４）両端部を各受具（６）に着脱自在に係架して洋服掛けとしている。
【００１４】
又、該実施の形態の可動式箱型家具は、請求項２に記載したように、操作用棒状体（４）を軸方向で伸縮自在にすると共に、操作用棒状体（４）端部を受具（６）に対し嵌合した状態で係架するようにしてもいる。
【００１５】
又、該実施の形態の可動式箱型家具は、請求項３に記載したように、操作用棒状体（４）を複数の筒体（４ａ）を重合接続して形成することで軸方向に伸縮自在なものとすると共に、受具（６）受面で上方に突出する嵌合片（６ａ）と、操作用棒状体（４）端部で嵌合片（６ａ）に嵌合する嵌合穴（４ｂ）とを設けることで操作用棒状体（４）端部を受具（６）に対し嵌合した状態で係架するようにしてもいる。
【００１６】
図１、２に示すように、本実施の形態の可動式箱型家具は、操作部（１）と連動するリンク機構（５）によりその上端部に設けられた可動幕板（７）を上下動させ、箱型家具（２）の固定状態と可動状態とを切替えるようにしている。操作部（１）は両側板（３）に設けられ、操作用棒状体（４）の両端部を各操作部（１）に嵌合した状態で回動操作される。箱型家具（２）は天板（８）、側板（３）、裏板（９）、底板（１０）、棚板（１１）とを備えている。
【００１７】
図２には側板（３）と、その内側に納まる操作部（１）とリンク機構（５）と縦型棒状体（１２）と仕切り板（１３）とが示されている。操作部（１）は、図６に示すようなもので平面略菱形の板状体であり、その中心部には操作用棒状体（４）の端部が嵌合する操作部嵌合穴（１ａ）が設けられている。
【００１８】
リンク機構（５）はピンで結合される２本のアーム（１４）（１５）と、下側のアーム（１４）中程にピンで結合される制御バー（１６）とで構成される。制御バー（１６）は端部を操作部（１）に対しピンを介して結合されており、操作部（１）の左回転によって操作部（１）側に引き寄せられる。下側のアーム（１４）はその下端部にカム（１７）を有しており、下側のアーム（１４）が操作部（１）側に引き寄せられた際には、図２のＢ部拡大図である図７に示すようにカム（１７）が直立し、カム（１７）下側に当接して設けられた縦型フレーム（１８）が押出され、移動用の車輪（１９）が側板（３）下端縁より突出し、箱型家具（２）が可動状態となるようにしている。
【００１９】
又、リンク機構（５）の上側のアーム（１５）も、操作部（１）の左回転によって操作部（１）側に引き寄せられ、その結果、縦型棒状体（１２）が降下し、天井への押圧が解除される。
【００２０】
又、操作部（１）を右側に回転すると上記と反対の動きが生じ、箱型家具（２）が固定状態となる。
【００２１】
図３、４は側板（３）の詳細を示す。仕切り板（１３）が操作部（１）と配線スペース（２０）との間に納まって操作部（１）と配線スペース（２０）との縁を切っている。この配線スペース（２０）は天井面から引き込んだ電線（２１）を側板（３）内面の電気器具（２２）であるコンセントに導くことができるように操作板（１）を横切って側板（３）内部に配設される。このような配線スペース（２０）を設けることで図５に示すようにＴＶ（２３）を箱型家具（２）の中段に設置する使用方法を提案することができる。即ち、ＴＶ（２３）の設置高さから電気器具（２２）であるコンセントの位置がまず決まる。コンセントに接続されるＴＶ用コードが使用者から見えにくくする為、一般的には箱型家具（２）の下部に電気器具（２２）であるコンセントを配設する。又、屋内電気配線は天井裏に設けられることが多いので電線（２１）は自ずと箱型家具（２）の上方から供給される。このようなシッチュエーションの場合、配線スペース（２０）は操作部（１）を横切って設けられる。本実施の形態の場合には、仕切り板（１３）で配線スペース（２０）と操作部（１）との縁切りを行っているので、断線等のトラブルを心配することなく電気配線することができる。
【００２２】
又、この他にも電気器具（２２）を箱型家具（２）内部を照らす照明器具としても良い。この場合、箱型家具（２）の内部が明るくなり収納物の確認が容易なものとなる。
【００２３】
図８乃至図１０は図１で示すＡ部の拡大図で操作用棒状体（４）と受具（６）の嵌合を説明している。操作用棒状体（４）の端部両縁には突出部（４ｃ）を有し、突出部（４ｃ）が操作部嵌合穴（１ａ）と嵌合するようにしている。又、操作用棒状体（４）の周壁には嵌合穴（４ｂ）が設けられており、受具（６）受面に設けた嵌合片（６ａ）と嵌合することで嵌合結合される。
【００２４】
図１１は、操作用棒状体（４）を示している。操作用棒状体（４）は２本の筒体（４ａ）（４ａ’）を重合接続して形成され、伸縮自在なものとなっている。このものには、握り棒（２４）が突設されている。握り棒（２４）は平面形状をＴ字とし、Ｔ字の水平線に相当する部分に筒体（２４ａ）を備えており、この筒体（２４ａ）を操作用棒状体（４）に重合してスライド自在に配設する。更に、この筒体（２４）には周壁と螺合するネジ（２５）が設けてあり、このネジ（２５）が周壁内部を挿通し操作用棒状体（４）の周壁外面を締めつけることにより握り棒（２４）が所定の位置に固定されるようにしている。
【００２５】
したがって、以上説明した可動式箱型家具によると、操作用棒状体（４）を紛失することなく、又、箱型家具（２）の内部で収納スペースを占有してしまうこともなく、効率よく操作用棒状体（４）を保管することができる。操作用棒状体（４）を洋服掛けとして利用しているので、余計に箱型家具（２）内の収納スペースを占有してしまうことがない。又、操作用棒状体（４）は着脱自在なので、必要な時には受具（６）から取り外して使うことができる。その際、操作用棒状体（４）に掛けていた洋服は必然的に取り外すことになるので、箱型家具（２）の総重量が軽くなり、小さな力で箱型家具（２）を移動させることができる。
【００２６】
又、操作用棒状体（４）が伸縮自在なので、操作用棒状体（４）両端部と各操作部との嵌合が容易なものとなる。操作用棒状体（４）を、箱型家具（２）の幅内寸に対し少し縮めた状態で嵌め込んでゆくことができるので、嵌合が容易となる。又、操作用棒状体（４）と受具（６）との嵌合も同様に簡単にすることができる。更に、嵌合接合としたことで受具（６）から操作用棒状体（４）が不用意に落下してしまうのを防ぐことができる。
【００２７】
又、操作用棒状体（４）の構造を簡単にすることができる。リンク機構などで伸縮自在とするよりも簡単である。又、嵌合片（６ａ）が受具（６）受面上方に突出しているので、操作用棒状体（４）を受具（６）上側より嵌合させることができ、受具（６）に対して操作用棒状体（４）を簡単に嵌合させることができる。
【００２８】
【発明の効果】
上述の如く、請求項１記載の発明によれば、操作用棒状体を紛失することなく、又、箱型家具の内部で収納スペースを占有してしまうこともなく、効率よく操作用棒状体を保管することができる。
【００２９】
そして、請求項２記載の発明によれば、操作用棒状体が伸縮自在なので、操作用棒状体両端部と各操作部との嵌合が容易なものとなる。
【００３０】
そして、請求項３記載の発明によれば、操作用棒状体の構造を簡単にすることができる。
【図面の簡単な説明】
【図１】本発明の一実施の形態である可動式箱型家具を示す概略図である。
【図２】該可動式箱型家具の側板の透視図である。
【図３】該可動式箱型家具の側板の詳細図である。
【図４】該可動式箱型家具の側板を示す断面図である。
【図５】該可動式箱型家具を示す概略図である。
【図６】該可動式箱型家具の操作部を示す説明図である。
【図７】該可動式箱型家具の図２で示すＢ部の拡大図でリンク機構を示す詳細図である。
【図８】該可動式箱型家具の図１で示すＡ部の拡大図で操作用棒状体と受具を示す説明図である。
【図９】該可動式箱型家具の図１で示すＡ部の拡大図で操作用棒状体と受具を示す説明図である。
【図１０】該可動式箱型家具の図１で示すＡ部の拡大図で操作用棒状体と受具を示す説明図である。
【図１１】該可動式箱型家具の操作用棒状体を示す説明図である。
【図１２】可動式箱型家具の従来例を示す概略図である。
【符号の説明】
１    操作部
２    箱型家具
３    側板
４    操作用棒状体
４ａ  筒体
４ｂ  嵌合穴
５    リンク機構
６    受具
６ａ  嵌合片
【図１】
0003570371.tif 000002
【図２】
0003570371.tif 000003
【図３】
0003570371.tif 000004
【図４】
0003570371.tif 000005
【図５】
0003570371.tif 000006
【図６】
0003570371.tif 000007
【図７】
0003570371.tif 000008
【図８】
0003570371.tif 000009
【図９】
0003570371.tif 000010
【図１０】
0003570371.tif 000011
【図１１】
0003570371.tif 000012
【図１２】
0003570371.tif 000013